(57)【特許請求の範囲】
【請求項１】
左右一対の拍手部と、
前記拍手部の対向する内側に形成された掌部と、
前記掌部の基端部から外向きに傾斜して下方に延設された基端平板部と、
前記基端平板部に形成された外方に突設する係合爪部と、
略円筒状の中空の把持部と、
前記把持部の上部の内壁に差し渡して形成され、拍手部係合用のスリットが形成された挿入係合部とを備え、
前記拍手部を掌部同士を内側に相互に対向するように、両基端平板部を重ね合わせて一体化するとともに、一体化した基端平板部を前記把持部の挿入係合部のスリット内に上方より挿着して、
前記基端平板部に形成された係合爪部を、前記挿入係合部のスリット下端より外方に突設させ係合させることにより、前記拍手部を把持部に係合して、前記基端平板部が支点となるように連結され、
前記左右の拍手部の掌部同士が、常態において一定角度で相互に離反した状態に位置するとともに、相互に接近離反する方向に開閉自在に構成したことを特徴とする応援用具。
【請求項２】
前記一方の基端平板部に形成された嵌合孔と、
前記嵌合孔に嵌合する前記他方の基端平板部に形成された嵌合突出部とを備え、
前記一方の基端平板部に形成された嵌合孔に前記他方の基端平板部に形成された嵌合突出部を嵌合させ、両基端平板部を一体化することを特徴とする請求項１に記載の応援用具。
【請求項３】
前記挿入係合部が、前記スリットに対して垂直方向に、前記把持部の内壁に差し渡して形成された補強リブを備えることを特徴とする請求項１または２に記載の応援用具。
【請求項４】
前記補強リブが、前記把持部の上方から下方に径が小さくなる逆三角形状であることを特徴とする請求項３に記載の応援用具。
【請求項５】
前記把持部内壁には、前記挿入係合部のスリット内部に位置し、前記基端平板部に形成された係合爪部を外方に付勢する案内スライドが形成されていることを特徴とする請求項１から４のいずれかに記載の応援用具。
【請求項６】
前記拍手部の掌部には、反響用凹部が形成されていることを特徴とする請求項１から５のいずれかに記載の応援用具。
【請求項７】
前記拍手部が中空であり、前記把持部の下端に形成された口部の開口部と前記反響用凹部の側壁に形成された下方の開口部とが連通していることを特徴とする請求項１から６のいずれかに記載の応援用具。
【請求項８】
前記拍手部が、手の形状であることを特徴とする請求項１から７のいずれかに記載の応援用具。
【請求項９】
前記拍手部が、バットを縦方向に半割した半バット形状であることを特徴とする請求項１から７のいずれかに記載の応援用具。
【請求項１０】
前記半バット形状の拍手部の先端に反響用開口部が形成されていることを特徴とする請求項９に記載の応援用具。
【請求項１１】
前記拍手部が、キャラクターの形状であることを特徴とする請求項１から７のいずれかに記載の応援用具。
【請求項１２】
前記一対の拍手部のうち、少なくとも一方の拍手部の外側面に、おもちゃ部材が取り付けられていることを特徴とする請求項１から１１のいずれかに記載の応援用具。
【請求項１３】
前記おもちゃ部材は、平面的に広がる形状であることを特徴とする請求項１２に記載の応援用具。
【請求項１４】
前記おもちゃ部材は、立体的に広がる形状であることを特徴とする請求項１２に記載の応援用具。
【発明の詳細な説明】
【０００１】
【発明の属する技術分野】
本発明は、サッカー、野球の試合の応援などの際に使用する応援用具に関し、特に、拍子木として拍手のような応援音を発することが可能な応援用具に関する。
【０００２】
【従来の技術】
従来より、メガホンとしても機能し、拍子木として拍手のような応援音を発することも可能な応援用具として、実開昭６３−２４６００号に開示されるメガホンがある。
このメガホン１００は、図１６に示したように、半円錐形状の一対の相互に対象なメガホン部１０２、１０４と吹き口部１０６、１０８とからなるメガホンを、ヒンジ部１１０で連結することによって、相互に接近離反する方向に開閉自在に構成した構成である。
【０００３】
しかしながら、この場合、吹き口１０６、１０８を閉じて、メガホンとして使用する場合に、吹き口１０６、１０８を開かないように強く把持する必要があり、また、吹き口１０６、１０８の中央に仕切り１０６ａ、１０８ａが存在することになるため、吹き口に口を押しあてた際に、唇に当接して感触が悪かった。
そのため、図１７に示したように、特開平８−５０４８８号、実用新案登録第３０１３８８１号などでは、複数の拡声筒１２０、１２２を有し、これらの拡声筒１２０、１２２の後方部１２４を蛇腹形状１２６、１２８にするとともに、吹き口１３０の前方部１３２もこれに対応して蛇腹形状１３４として、拡声筒１２０、１２２の後方部１２４を吹き口１３０の前方部１３２に係合するとともに、拡声筒１２０、１２２の内面に設けた突起部１２１、１２３を支点として、これらの拡声筒１２０、１２２を相互に接近離反する方向に開閉自在に構成したものである。
【０００４】
【発明が解決しようとする課題】
しかしながら、これらの特開平８−５０４８８号、実用新案登録第３０１３８８１号に開示されるメガホンでは、拡声筒１２０、１２２の後方部１２４の蛇腹形状１２６、１２８を、吹き口１３０の前方部１３２の蛇腹形状１３４に係合して、拡声筒１２０、１２２と吹き口１３０とを連結した構成であるので、メガホンを応援の際に強く振り回したり、または、拍子木として使用するために手などに強く打ち付けたりする場合に、拡声筒１２０、１２２が吹き口１３０から抜け落ちるおそれがあり好ましくなかった。
【０００５】
また、これらのメガホンでは、拡声筒１２０、１２２の内面に設けた突起部１２１、１２３を支点として、これらの拡声筒１２０、１２２を相互に接近離反する方向に開閉自在に構成したので、開閉角度が限定されるため、拍子木として両拡声筒１２０、１２２を相互に接近する距離が限定されることになるので、拍子木としての音が小さくなってしまう。また、両拡声筒１２０、１２２を相互に接近する方向に閉じる際に、突起部１２１、１２３が邪魔になって、拡声筒１２０、１２２の内面同士が当接するのが阻害され、拍子木としての音が小さくなってしまうおそれがあった。
【０００６】
本発明は、このような実状を考慮して、応援の際に強く振り回したり、または、拍子木として使用するために手などに強く打ち付けたりする場合にも、拡声筒が吹き口部から抜け落ちるおそれがなく、拍子木としての拡音機能が極めて良好な応援具を提供することを目的とする。
また、本発明は、メガホンとして使用する場合に、吹き口に口を押しあてた際に、感触が良好で、しかもメガホンとしての拡声機能も極めて良好な応援具を提供することを目的とする。
【０００７】
【問題を解決するための手段】
本発明は、前述したような従来技術における課題及び目的を達成するために発明なされたものであって、本発明に係る応援用具は、左右一対の拍手部と、
前記拍手部の対向する内側に形成された掌部と、
前記掌部の基端部から外向きに傾斜して下方に延設された基端平板部と、
前記基端平板部に形成された外方に突設する係合爪部と、
略円筒状の中空の把持部と、
前記把持部の上部の内壁に差し渡して形成され、拍手部係合用のスリットが形成された挿入係合部とを備え、
前記拍手部を掌部同士を内側に相互に対向するように、両基端平板部を重ね合わせて一体化するとともに、一体化した基端平板部を前記把持部の挿入係合部のスリット内に上方より挿着して、
前記基端平板部に形成された係合爪部を、前記挿入係合部のスリット下端より外方に突設させ係合させることにより、前記拍手部を把持部に係合して、前記基端平板部が支点となるように連結され、
前記左右の拍手部の掌部同士が、常態において一定角度で相互に離反した状態に位置するとともに、相互に接近離反する方向に開閉自在に構成したことを特徴とする。
【０００８】
このような構成することによって、両方の基端平板部を重ね合わせて一体化し、しかも、把持部の挿入係合部のスリット内に上方より挿着して、基端平板部に形成された係合爪部を、挿入係合部のスリット下端より外方に突設させているので、拍手部が把持部に強固に係合するため、応援の際に強く振り回したり、または、拍子木として使用するために手などに強く打ち付けたりする場合にも、拡声筒が吹き口部から抜け落ちるおそれがない。
【０００９】
しかも、基端平板部が支点となるように連結されており、基端平板部が、掌部の基端部から外向きに傾斜して下方に延設されているので、左右の拍手部の掌部同士が、常態において一定角度で相互に離反した状態に位置するとともに、相互に接近離反する方向に開閉自在である。従って、開閉角度が限定されることなく、開閉動作が阻害されることがないので、拍子木としての拡音機能も極めて良好で、メガホンとして使用する場合にも、把持部の口部に口を押しあてた際に、感触が良好で、しかもメガホンとしての拡声機能も良好な応援用具を提供することができる。
【００１０】
また、本発明の応援用具は、前記一方の基端平板部に形成された嵌合孔と、
前記嵌合孔に嵌合する前記他方の基端平板部に形成された嵌合突出部とを備え、
前記一方の基端平板部に形成された嵌合孔に前記他方の基端平板部に形成された嵌合突出部を嵌合させ、両基端平板部を一体化することを特徴としている。
【００１１】
このような構成によれば、一対の掌部の形成と組立が容易になる。また、嵌合孔と嵌合突出部とを互いに嵌合させているので、振り回した場合にも左右の基端平板部がスリットから抜け落ちることがない。
また、本発明の応援用具は、前記挿入係合部が、前記スリットに対して垂直方向に、前記把持部の内壁に差し渡して形成された補強リブを備えることを特徴とする。
【００１２】
これにより、挿入係合部のスリットがこの補強リブによって広がることがないので、挿入係合部のスリット下端より外方に突設させて係合した係合爪部が、挿入係合部のスリットからその係合状態が解除されることがなく、拍手部の把持部への固定が堅固となる。しかも、開閉動作の際に、拍手部が接近離反する方向に対して垂直な方向にずれることがなくなり、確実に拍手部同士を相互に打ち当てて、拍手のような音が発生して拍子木として機能させることができる。
【００１３】
また、本発明の応援用具は、前記補強リブが、前記把持部の上方から下方に径が小さくなる逆三角形状であることを特徴とする。
このように構成することによって、一体化した基端平板部を把持部の挿入係合部のスリット内に上方より挿着する際には、挿入係合部のスリット下端がその幅が容易に拡がって、基端平板部に形成された係合爪部が挿入しやすく、いったん係合爪部が挿入係合部のスリット下端より外方に突設して係合した後は、補強リブが楔として機能して、挿入係合部のスリット下の幅が拡がることなく確実に係止状態が維持される。
【００１４】
また、本発明の応援用具では、前記把持部内壁には、前記挿入係合部のスリット内部に位置し、前記基端平板部に形成された係合爪部を外方に付勢する案内スライドが形成されていることを特徴とする。
これによって、いったん係合爪部が挿入係合部のスリット下端より外方に突設して係合した後は、案内スライド係合爪部を外方に付勢する係合状態が解除されることがなく、拍手部の把持部への固定が堅固となる。
【００１５】
また、本発明の応援用具では、前記拍手部の掌部には、反響用凹部が形成されていることを特徴とする。
このように拍手部の掌部に反響用凹部が形成してあるので、メガホンとしての拡声機能も、また、拍子木として、拍手部同士を相互に打ち当てて発生させた拍手のような音の拡音機能も極めて良好である。
【００１６】
また、本発明の応援用具では、前記拍手部が中空であり、前記把持部の下端に形成された口部の開口部と前記反響用凹部の側壁に形成された下方の開口部とが連通していることを特徴とする。
これにより、本発明の応援用具をメガホンとしても、拍子木としての機能をももたせることが可能となる。
【００１７】
さらに、本発明の応援用具では、前記拍手部が、手の形状であることを特徴とする。
これによって、拍子木として、拍手部同士を相互に打ち当てて拍手のような音を発生させた際に、視覚的にもまるで拍手をしているような形態となり、音声的にも視覚的にもその応援効果が発揮される。
【００１８】
また、本発明の応援用具では、前記拍手部が、バットを縦方向に半割した半バット形状であることを特徴とする。
これによって、例えば、野球の応援の際に、拍子木として、拍手部同士を相互に打ち当てて音を発生させた際に、視覚的にもまるでバットを打ち鳴らしているような形態となり、また、メガホンとしても使用可能であり、音声的にも視覚的にもその応援効果が発揮される。
【００１９】
さらに、本発明の応援用具では、前記拍手部が、キャラクターの形状であることを特徴とする。
このように構成することによって、拍子木として、拍手部同士を相互に打ち当てて音を発生させた際に、視覚的にもまるで、例えば、熊、猫などのキャラクターが、音声を発しているような形態となり、また、メガホンとしても使用可能であり、音声的にも、また視覚的にも、意匠的にも良好でその応援効果が発揮される。
【００２０】
また、本発明の応援用具では、前記一対の拍手部のうち、少なくとも一方の拍手部の外側面に、おもちゃ部材が取り付けられていることを特徴とする。
これにより、子供を始めとして、多くの人が応援気分を高めて楽しみながら応援することができる。また、応援するチームのマスコット人形などを取り付けた場合には、応援に参加している人、あるいは応援に直接参加していない人であっても、その場の士気を高めることができる。
【００２１】
さらに、本発明の応援用具では、前記おもちゃ部材は、平面的に広がる形状であることを特徴とする。
このような形状であれば、応援用具を嵩張らせずに、様々な雰囲気を醸し出す応援用具を提供することができる。また、ワンポイントが加わるので、応援用具の商品価値を高めることができる。
【００２２】
また、前記おもちゃ部材は、立体的に広がる形状であることを特徴とする。
このような構成であれば、例えば、応援チームのマスコット人形などを取り付けた場合に、応援している最中にそのマスコット人形が応援する操作と同時に踊るような動きをするので、視覚的にも良好で、応援効果を向上させることができる。
【００２３】
【発明の実施の形態】
以下、本発明の応援用具の実施の形態（実施例）について、図面を参照しながら説明する。
図１は、本発明の応援用具の第１の実施例の斜視図、図２は、本発明の応援用具の組立状態を説明する図１の分解斜視図、図３は、図１の縦断面図、図４は、本発明の応援用具の実施例の使用状態の一例を示す斜視図である。
【００２４】
図１において、１０は、全体で本発明の応援用具を示している。応援用具１０は、左右一対のヒトの手の形状をかたどった拍手部１２、１４を有している。この拍手部１２、１４は、図１および図２に示したように、手の甲をかたどった拍手部本体１６、１８と、拍手部１２、１４の対向する内側に形成された掌をかたどった掌部２０、２２を備えている。
【００２５】
拍手部本体１６、１８の内面には、その内周部分に沿って複数の円筒形状の嵌合円筒部２４が形成され、この嵌合円筒部２４には嵌合用孔２６が形成されている。また、拍手部本体１６、１８の内面の略中央部分には、逆Ｕ字形状の反響用凹部用側壁２８が形成されているとともに、この反響用凹部用側壁２８の外周に沿っても、複数の嵌合用孔２６を有する嵌合円筒部２４が形成されている。
【００２６】
一方、掌部２０、２２には、拍手部本体１６、１８に形成された反響用凹部用側壁２８に合致する形状の反響用孔部３０が形成されている。また、掌部２０、２２の外方側、すなわち、拍手部本体１６、１８に面する側には、拍手部本体１６、１８の内面に形成された嵌合用孔２６を有する嵌合円筒部２４に対応する位置に、複数の円柱形状の嵌合凸部３２が形成されている。
【００２７】
また、掌部２０、２２には、掌部２０、２２の基端部３４、３６から外向きに傾斜して（すなわち、相互に離反する方向に傾斜して）下方に延設された基端平板部３８、４０を有している。この基端平板部３８、４０は、略Ｆ字形状であり、相互に対象となるように形成されている。
すなわち、掌部２０の基端平板部３８には、中央部４２を有し、この中央部４２には、複数の嵌合孔４４が形成されている。また、この中央部４２の図２において手前側には、係合部４６が形成され、その先端には、外方側に、すなわち、拍手部本体１６に面する側に突設する係合爪部４８が形成されている。
【００２８】
一方、掌部２２の基端平板部４０には、中央部５０を有し、この中央部５０には、複数の円柱形状の嵌合突出部５２が形成されている。また、この中央部５０の図２において後ろ側には、係合部５４が形成され、その先端には、外方側に、すなわち、拍手部本体１８に面する側に突設する係合爪部５６が形成されている。
【００２９】
さらに、応援用具１０は、中空の把持部５８を有しており、この把持部５８は、上部把持部６０と、把持部本体部６２とを備えている。
上部把持部６０には、その内壁６４に差し渡して形成され挿入係合部６６を備えており、この挿入係合部６６には、拍手部係合用のスリット６８が形成されている。
【００３０】
また、この挿入係合部６６には、スリット６８に対して垂直方向に、上部把持部６０の内壁６４に差し渡して形成された補強リブ７０を備えている。なお、補強リブ７０は、上方から下方にいくにしたがって径が小さくなる逆三角形状となっている。
一方、把持部本体部６２の内壁７２には、上部把持部６０と把持部本体部６２とを組み立てた際に、挿入係合部６６のスリット６８内部に位置し、後述するように、基端平板部３８、４０を一体化して、挿入係合部６６のスリット６８内に挿着した際に、基端平板部３８、４０に形成された係合部４６、５４を外方に付勢する案内スライド７４が形成されている。
【００３１】
また、把持部本体部６２の下端には、応援用具１０をメガホンとして使用する場合の開口部７６を有する口部７８が形成されている。
このように構成される応援用具１０を組み立てる際には、図２に示したように、拍手部本体１６、１８の内面に形成された嵌合円筒部２４の嵌合用孔２６内に、掌部２０、２２に形成された嵌合凸部３２を嵌合させることによって拍手部１２、１４を構成する。また、これにより、拍手部本体１６、１８の反響用凹部用側壁２８と掌部２０、２２に形成された反響用孔部３０により、反響用凹部３１が形成される。なお、この際、接着剤を用いて、拍手部本体１６、１８と掌部２０、２２が分離しないように接着してもよい。
【００３２】
そして、掌部２０、２２同士を内側に相互に対向するように、一方の掌部２０の基端平板部３８の中央部４２に形成された嵌合孔４４に、他方の掌部２２の基端平板部４０の中央部５０に形成された嵌合突出部５２を重ね合わせて嵌合させ一体化する。なお、この際、接着剤を用いて、基端平板部３８と基端平板部４０とが分離しないように接着してもよい。
【００３３】
一方、上部把持部６０と把持部本体部６２とを組み立てて把持部５８を構成し、把持部本体部６２の内壁７２に形成した案内スライド７４が、挿入係合部６６のスリット６８内部に位置するようにする。
この後、重ね合わせて一体化した基端平板部３８、４０を、上部把持部６０の挿入係合部６６のスリット内に上方より挿着することによって、基端平板部３８、４０に形成された係合爪部４８、５６が、把持部本体部６２の内壁７２に形成された案内スライド７４によって外方に付勢され、挿入係合部６６のスリット６８の下端より外方に突設して係合する。これによって、拍手部１２、１４が把持部５８に係合して、基端平板部３８、４０が支点となるように連結される。
【００３４】
なお、この際、一体化した基端平板部を把持部の挿入係合部のスリット内に上方より挿着する際には、挿入係合部のスリット下端がその幅が容易に拡がって、基端平板部に形成された係合爪部が挿入しやすく、いったん係合爪部が挿入係合部のスリット下端より外方に突設して係合した後は、補強リブが楔として機能して、挿入係合部のスリット下の幅が拡がることなく確実に係止状態が維持される。しかも、開閉動作の際に、拍手部が接近離反する方向に対して垂直な方向にずれることがなくなる。
【００３５】
このように、本発明の応援用具１０では、左右の拍手部１２、１４の掌部２０、２２同士が、常態において一定角度で相互に離反した状態に位置するとともに、その可撓性によって、相互に接近離反する方向に開閉自在に構成されることになる。
従って、本発明の応援用具１０を、拍子木として使用する場合には、図４に示したように、把持部５８を片手で把持して、他方の手の掌などに、拍手部１２、１４の拍手部本体１６、１８を打ち付けることによって、矢印で示したように、左右の拍手部１２、１４の掌部２０、２２同士が相互に接近離反する方向に開閉自在に移動して、掌部２０、２２同士が当接した際に、拍手のような音が発生し、反響用凹部３１で反響することによって、拍子木としての拡音機能も極めて良好である。
【００３６】
また、本発明の応援用具１０を、メガホンとして使用する場合には、把持部本体部６２の下端に形成された口部７８の開口部７６と反響用凹部３１の側壁２８に形成された下方の開口部２９とが連通しているので、口部７８を口に押しあて叫んだ際に、音声が、把持部５８の内部を通り、拍手部１２、１４の内部から、反響用凹部３１で反響することによって極めて良好に拡声される。
【００３７】
なお、上記実施例では、これらの構成部材を合成樹脂などのある程度可撓性を有する材料で形成するのが好ましいが、勿論、アルミなどの金属、またはその他の可撓性を有する材料で形成することも可能である。
また、上記実施例では、把持部５８を上部把持部６０と把持部本体部６２との別部材で形成したが、これらを一体成形で作製することも勿論可能である。
【００３８】
図５は、本発明の応援用具の第２の実施例の斜視図を示している。
この実施例の応援用具は、基本的には、上記の第１の実施例と同様な構成であるので、同じ構成部材には、同じ参照番号を付して、その詳細な説明を省略する。また、図では現れないが、拍手部１２、１４と把持部５８との連結構造は、上記の第１の実施例と同じ構造となっている。このことは、以下の実施例においても同様である。
【００３９】
この実施例の応援用具１０では、掌部２０、２２の反響用孔部３０を省略して、反響用凹部３１を形成せず、掌部２０、２２を平坦に形成した点が上記の第１の実施例と相違する。
この実施例の場合には、応援用具１０は、メガホンとしては使用できないが、拍子木として使用する場合には、掌部２０、２２の平坦部全体で打ち合わせることになるので、発生する音が大きく、拍子木としての拡音機能も極めて良好である。
【００４０】
図６は、本発明の応援用具の第３の実施例の斜視図を示している。
この実施例の応援用具は、基本的には、上記の第１の実施例と同様な構成であるので、同じ構成部材には、同じ参照番号を付して、その詳細な説明を省略する。
この実施例の応援用具１０では、把持部５８の把持部本体部６２の口部７８の開口部７６を閉塞して閉塞部７６’とした点が上記の第１の実施例と相違する。
【００４１】
この実施例の場合には、応援用具１０は、メガホンとしては使用できないが、拍子木として使用する場合には、上記第１の実施例と同様に機能し、拍子木としての拡音機能も極めて良好である。
図７は、本発明の応援用具の第４の実施例の斜視図を示している。
この実施例の応援用具は、基本的には、上記の第１の実施例と同様な構成であるので、同じ構成部材には、同じ参照番号を付して、その詳細な説明を省略する。
【００４２】
この実施例の応援用具１０では、掌部２０、２２の反響用孔部３０を省略して、反響用凹部３１を形成せず、掌部２０、２２を平坦に形成するとともに、把持部５８の把持部本体部６２の口部７８の開口部７６を閉塞して閉塞部７６’とした点が上記の第１の実施例と相違する。
この実施例の場合には、応援用具１０は、メガホンとしては使用できないが、拍子木として使用する場合には、上記第１の実施例と同様に機能し、掌部２０、２２の平坦部全体で打ち合わせることになるので、発生する音が大きく拍子木としての拡音機能も極めて良好である。
【００４３】
また、図８は、本発明の第５の実施例による応援用具の構成要素である一方の拍手部本体１６’を示したもので、他の拍手部もこれと同様に形成されている。この拍手部本体１６’は、図２に示した反響用凹部用側壁２８の形状が異なり、略Ｕ字状の側壁２８に直線状の隔壁２３が付設されることにより、全体が閉塞した形状になっている。この実施例の応援用具の他の構造は、基本的には、図１〜図４の第１の実施例と同様な構成である。このような構成の応援用具によれば、図１に示したように口部７８に開口部７６が設けられていても、反響用凹部３１が閉塞しているので、メガホンとしては使用することができない。
【００４４】
図９は、本発明の応援用具の第６の実施例の斜視図を示している。
この実施例の応援用具は、基本的には、上記の第１の実施例と同様な構成であるので、同じ構成部材には、同じ参照番号を付して、その詳細な説明を省略する。
この実施例の応援用具１０では、左右の拍手部１２、１４をバットを縦方向に半割した半バット形状の拍手部本体１６’、１８’からなる拍手部１２’、１４’としている。また、掌部２０’、２２’に閉塞した状態（すなわち口部７８の開口部７６と連通していない状態）の反響用凹部３１’が形成してある。
【００４５】
さらに、これらの拍手部１２’、１４’の前端部にそれぞれ、口部７８の開口部７６と連通して、応援用具１０をメガホンとして使用する場合に、音声を拡声する拡声開口部８０が形成されている。
このように構成することによって、例えば、野球の応援の際に、拍子木として、拍手部１２’、１４’同士を相互に打ち当てて音を発生させた際に、視覚的にもまるでバットを打ち鳴らしているような形態となり、また、メガホンとしても使用可能であり、音声的にも視覚的にもその応援効果が発揮されることになる。
【００４６】
図１０は、本発明の応援用具の第７の実施例の斜視図を示している。
この実施例の応援用具は、基本的には、上記の図９の第６の実施例と同様な構成であるので、同じ構成部材には、同じ参照番号を付して、その詳細な説明を省略する。
この実施例の応援用具１０では、拍手部１２’、１４’の前端部の拡声開口部８０を省略して閉塞部８０’としてある。また、反響用凹部３１’を開口凹部３１”として形成してあり、口部７８の開口部７６と連通させて、音声を拡声する拡声開口部として開口凹部３１”が機能して、応援用具１０をメガホンとして使用することができるようになっている。
【００４７】
このように構成することによって、例えば、野球の応援の際に、拍子木として、拍手部１２’、１４’同士を相互に打ち当てて音を発生させた際に、視覚的にもまるでバットを打ち鳴らしているような形態となり、また、メガホンとしても使用可能であり、音声的にも視覚的にもその応援効果が発揮されることになる。
図１１は、本発明の応援用具の第８の実施例の斜視図を示している。
【００４８】
この実施例の応援用具は、基本的には、上記の第１の実施例と同様な構成であるので、同じ構成部材には、同じ参照番号を付して、その詳細な説明を省略する。
この実施例の応援用具１０では、左右の拍手部１２、１４を、キャラクターの形状、本実施例の場合には、ウサギのキャラクターの拍手部１２”、１４”としてある点が相違する。なお、この場合、キャラクターの形状は、ウサギの形状に限定されるものではなく、例えば、熊、猫などその他のキャラクターとすることも勿論可能である。
【００４９】
このように構成することによって、拍子木として、拍手部１２”、１４”同士を相互に打ち当てて音を発生させた際に、視覚的にもまるで、例えば、熊、猫などのキャラクターが、音声を発しているような形態となり、また、口部７８に開開口部７６を設けることにより、メガホンとしても使用可能であり、音声的にもまた視覚的にも意匠的にも良好で、その応援効果が発揮される。
【００５０】
図１２から図１４は、本発明の応援用具の第９の実施例を示している。
この実施例の応援用具は、基本的には上記の第１の実施例と同様な構成であるので同じ構成部材には同じ参照番号を付して、その詳細な説明を省略する。
この実施例の応援用具１０では、一方の拍手部本体１８に、ウサギを形どった小型のおもちゃ部材８４が着脱自在に取付られている。このおもちゃ部材８４は、裏面側に突設された２本のピン８５，８６が、拍手部本体１８の挿通孔８７，８８内に差し込まれることにより、拍手部本体１８に着脱自在に取付られている。なお、ピン８５，８６が挿通孔８７，８８から抜けないように、接着剤などで固定することもできる。また、他の方法で取り付けることもでき、取付方法は何ら限定されない。
【００５１】
このおもちゃ部材８４は、一番背が高くなっている部分であっても、その高さＳが５ｍｍ程度に形成されている。したがって、このおもちゃ部材８４は嵩張ることはなく、正面および側面から観察したときに、あたかもワッペンを貼り付けたかのように、拍手部本体１８と一体的に観察することができる。また、おもちゃ部材８４の外周縁は湾曲して形成されることが好ましい。このように丸みをつければ、取付面とに間に隙間が生じにくくなり、美観的に好ましい。
【００５２】
また、このおもちゃ部材８４は、平面的なものに限定されない。例えば、立体的に形成したおもちゃ部材を取り付けすることもできる。具体的には、野球チームを応援する場合などに、そのチームがマスコットとしているものがあれば、それを立体的に形成し、その立体おもちゃを取付することができる。この場合には、取付姿勢を安定させるため、拍手部本体１８にネジなどで確実に固定することが好ましい。
【００５３】
また、このおもちゃ部材８４は、片側に限定されず、左右一対の拍手部に取り付けることもできる。
以上、本発明の実施例について説明したが、本発明は何らこれらに限定されるものではなく、例えば、上記の実施例では、拍手部を左右の一対の構成としたが、これを３個以上の複数の拍手部にすることも可能である。
【００５４】
また、図６に示した実施例では、口部７８に閉塞部７６’を設けることにより、把持部５８の内部で反響用凹部３１に通じる通路を塞いでいるが、これに代え、図１５に示したように、口部７８に嵌合される把持部５８の上部に、円盤状の隔壁体５９を設け、この隔壁体５９により反響用凹部３１に通じる通路を閉塞することもできる。
【００５５】
【発明の効果】
本発明に係る応援用具は、両基端平板部を重ね合わせて一体化してあり、しかも、把持部の挿入係合部のスリット内に上方より挿着して、基端平板部に形成された係合爪部を、挿入係合部のスリット下端より外方に突設させているので、拍手部が把持部に強固に係合するため、応援の際に強く振り回したり、または、拍子木として使用するために手などに強く打ち付けたりする場合にも、拡声筒が吹き口部から抜け落ちるおそれがない。また、一方の基端平板部に嵌合孔を形成し、他方の基端平坦部に嵌合突出部を設け、これらを嵌合させれば、掌部の形成と組立が容易になるととともに、振り回した場合の抜けを一層確実に防止することができる。
【００５６】
しかも、基端平板部が支点となるように連結されており、基端平板部が、掌部の基端部から外向きに傾斜して下方に延設されているので、左右の拍手部の掌部同士が、常態において一定角度で相互に離反した状態に位置するとともに、相互に接近離反する方向に開閉自在である。従って、開閉角度が限定されることなく、開閉動作が阻害されることがないので、拍子木としての拡音機能も極めて良好である。
【００５７】
また、拍手部が中空であり、把持部の下端に形成された口部の開口部と反響用凹部の側壁に形成された下方の開口部とが連通している場合には、メガホンとして使用することができる。メガホンとして使用する場合にも、把持部の口部に口を押しあてた際に、感触が良好で、しかもメガホンとしての拡声機能も良好な応援用具を提供することができる等幾多の作用効果を奏する極めて優れた発明である。
【００５８】
また、おもちゃ部材を取り付けた応援用具によれば、応援気分を高めて楽しみながら応援できるとともに、様々な雰囲気を醸し出すことができる。
【図面の簡単な説明】
【図１】図１は、本発明の応援用具の第１の実施例の斜視図である。
【図２】図２は、本発明の応援用具の組立状態を説明する図１の分解斜視図である。
【図３】図３は、図１の縦断面図である。
【図４】図４は、本発明の応援用具の実施例の使用状態の一例を示す斜視図である。
【図５】図５は、本発明の応援用具の第２の実施例の斜視図である。
【図６】図６は、本発明の応援用具の第３の実施例の斜視図である。
【図７】図７は、本発明の応援用具の第４の実施例の斜視図である。
【図８】図８は本発明の応援用具の第５の実施例で採用された拍手部本体の斜視図である。
【図９】図９は、本発明の応援用具の第６の実施例の斜視図である。
【図１０】図１０は、本発明の応援用具の第７の実施例の斜視図である。
【図１１】図１１は、本発明の応援用具の第８の実施例の斜視図である。
【図１２】図１２は、本発明の応援用具の第９の実施例の斜視図である。
【図１３】図１３は、図１２に示したおもちゃ部材の裏面側の斜視図である。
【図１４】図１４は、図１２の縦断面図である。
【図１５】図１５は、本発明の他の実施例で採用された把持部の斜視図である。
【図１６】図１６は、従来の応援用具の斜視図である。
【図１７】図１７は、従来の応援用具の断面図である。
【符号の説明】
１０  応援用具
１２、１４  拍手部
１６、１８  拍手部本体
２０、２２  掌部
２４  嵌合円筒部
２６  嵌合用孔
２８  側壁
２９  開口部
３０  反響用孔部
３１”  開口凹部
３１  反響用凹部
３２  嵌合凸部
３４、３６  基端部
３８、４０  基端平板部
４２、５０  中央部
４４  嵌合孔
４８  係合爪部
５２  嵌合突出部
５４  係合部
５６  係合爪部
５８  把持部
６０  上部把持部
６２  把持部本体部
６４  内壁
６６  挿入係合部
６８  スリット
７０  補強リブ
７２  内壁
７４  案内スライド
７６  開口部
７６’  閉塞部
７８  口部
８０  拡声開口部
８０’  閉塞部
８４  おもちゃ部材
【図１】
0003575747.tif 000002
【図２】
0003575747.tif 000003
【図３】
0003575747.tif 000004
【図４】
0003575747.tif 000005
【図５】
0003575747.tif 000006
【図６】
0003575747.tif 000007
【図７】
0003575747.tif 000008
【図８】
0003575747.tif 000009
【図９】
0003575747.tif 000010
【図１０】
0003575747.tif 000011
【図１１】
0003575747.tif 000012
【図１２】
0003575747.tif 000013
【図１３】
0003575747.tif 000014
【図１４】
0003575747.tif 000015
【図１５】
0003575747.tif 000016
【図１６】
0003575747.tif 000017
【図１７】
0003575747.tif 000018